(57)【要約】      （修正有）【課題】コーキング剤を用いてもデザイン性が損なわれることのない浴室用電子装置を提供する。【解決手段】浴室用電子装置は、浴室内の壁面に取り付けられる前ケース３１と後ケース３２が水密に結合された本体と、この本体に対して着脱自在に取り付けられ、本体の前面と側面とを覆う化粧カバー２とを備える。本体の後面外周縁に、本体を壁面Ｗに取り付けた状態で本体の後面と壁面との間への湯水の浸入を防止するコーキング剤６を充填する浴室用電子装置において、化粧カバーを本体に取り付けた状態で、化粧カバーが充填されたコーキング剤を覆い、本体が壁面に取り付けられた状態で、コーキング剤が化粧カバーによって隠される。【選択図】図３
2019047232.tif 000002
【特許請求の範囲】
【請求項１】
浴室内の壁面に取り付けられる本体と、この本体に対して着脱自在に取り付けられ、本体の前面と側面とを覆う化粧カバーとを備えると共に、本体の後面外周縁に、本体を上記壁面に取り付けた状態で本体の後面と壁面との間への湯水の浸入を防止するコーキング剤を充填する浴室用電子装置において、上記化粧カバーを本体に取り付けた状態で化粧カバーが上記充填されたコーキング剤を覆い、本体が上記壁面に取り付けられた状態で、コーキング剤が化粧カバーによって隠されることを特徴とする浴室用電子装置。
【請求項２】
上記本体の後面外周縁に、上記コーキング剤を充填するための凹部を形成したことを特徴とする請求項１に記載の浴室用電子装置。
【発明の詳細な説明】
【技術分野】
【０００１】
本発明は、浴室用テレビのように、浴室内の壁面に取り付けられる浴室用電子装置に関する。
【背景技術】
【０００２】
上述の浴室用電子機器として、例えば浴室用テレビでは、ケーシングの内部に電子基板が内蔵されているので、ケーシングは水密に形成して、壁面に固定されている浴室用テレビに湯水が掛かってもケーシング内部に湯水が浸入しないように形成されている。また、そのケーシングを壁面に固定するためにケーシングにはビスが挿通される取付穴が設けられる場合があり、ビスで固定したままの状態では固定用のビスが露出してデザイン性が損なわれる。
【０００３】
そこで、壁面に固定されたケーシングに対して前方から着脱自在の化粧カバーを装着して、上記ビスを隠すと共に、浴室用テレビ全体のデザイン性を高めたものが知られいている。なお、このものでは、固定されたケーシングの後面と浴室の壁面との間に湯水が浸入しないように、ケーシングの後面外周縁に凹部を設け、ケーシングを壁面に取り付けた状態でその凹部内にコーキング剤を充填して、ケーシングの後面と壁面との間への湯水の浸入を防止するように構成されている。
【先行技術文献】
【特許文献】
【０００４】
【特許文献１】特開２０１２−２１１７１８号公報（００４２，図４）
【発明の概要】
【発明が解決しようとする課題】
【０００５】
上記コーキング剤を充填するための凹部は、ケーシングに化粧カバーを装着した状態で外部に露出する。すなわち、上記従来のものでは、ケーシングを壁面に取り付け、さらにケーシングに化粧カバーを装着した状態で凹部にコーキング剤を充填するように構成されている。
【０００６】
ところが、このような構成では、充填したコーキング剤が、浴室用テレビを使用している間、常に目に触れることになり、浴室用テレビのデザイン性を低下させることになる。
【０００７】
そこで本発明は、上記の問題点に鑑み、コーキング剤を用いてもデザイン性が損なわれることのない浴室用電子装置を提供することを課題とする。
【課題を解決するための手段】
【０００８】
上記課題を解決するために本発明による浴室用電子装置は、浴室内の壁面に取り付けられる本体と、この本体に対して着脱自在に取り付けられ、本体の前面と側面とを覆う化粧カバーとを備えると共に、本体の後面外周縁に、本体を上記壁面に取り付けた状態で本体の後面と壁面との間への湯水の浸入を防止するコーキング剤を充填する浴室用電子装置において、上記化粧カバーを本体に取り付けた状態で化粧カバーが上記充填されたコーキング剤を覆い、本体が上記壁面に取り付けられた状態で、コーキング剤が化粧カバーによって隠されることを特徴とする。
【０００９】
上記構成では、上記本体と壁面との間に湯水の浸入がないようにコーキング剤を充填するが、その充填されたコーキング剤を化粧カバーが覆うので、コーキング剤が目に触れることがない。
【００１０】
なお、上記本体の後面外周縁に、上記コーキング剤を充填するための凹部を形成してもよい。
【発明の効果】
【００１１】
以上の説明から明らかなように、本発明は、上記凹部にコーキング剤を充填してもそのコーキング剤が化粧カバーによって隠されるので、壁面に取り付けられた状態での浴室用電子装置のデザイン性が損なわれることがない。
【図面の簡単な説明】
【００１２】
【図１】浴室用テレビが壁面に取り付けられている状態を示す図
【図２】化粧カバーを含めた浴室用テレビの構造を示す分解斜視図
【図３】充填されたコーキング剤の周辺を示す拡大図
【図４】他の実施の形態におけるコーキング剤の周辺を示す拡大図
【発明を実施するための形態】
【００１３】
図１を参照して、１は本発明による浴室用電子装置の一例である浴室用テレビである。この浴室用テレビ１は浴室の壁面Ｗに固定されるものであり、浴室用テレビ１を構成する要素のひとつである化粧カバー２が着脱自在に取り付けられている。
【００１４】
図２を合わせて参照して、前ケース３１と後ケース３２とが水密に結合されて本体であるケーシングが形成される。そのケーシング内には電子回路等が実装された電子基板４が内蔵されている。この電子基板４には画像表示部４１が設けられており、その画像表示部４１は前ケース３１に形成された透明な窓部３３に臨んでいる。そして、その窓部３３は化粧カバー２に形成した開口２１に後方から嵌まるので、画像表示部４１に映し出されるテレビ画像を鑑賞することができる。
【００１５】
後ケース３２の後面の周縁には、後述するコーキング剤を充填するための凹部５が形成されている。本実施の形態では、後ケース３２の後面の周縁を大きく面取りすることにより凹部５を形成した。
【００１６】
図３を参照して、前ケース３１と後ケース３２とを合わせたケーシングを壁面Ｗに固定した状態で、この凹部５内にシリコン系のコーキング剤６を充填する。このコーキング剤６は後ケース３２と壁面Ｗとの双方に接着するので、後ケース３２と壁面Ｗとの間に湯水が浸入することを防止することができる。凹部５内にコーキング剤６を充填して所定時間経過することによってコーキング剤６が硬化すると、化粧カバー２をケーシングに取り付ける。すると、化粧カバー２は図３に示すように凹部５を覆うように形成されているので、凹部５内に充填されたコーキング剤６も化粧カバー２によって隠されることになる。その結果、化粧カバー２が装着されている状態であればコーキング剤６が目に触れることがない。
【００１７】
ところで、上記実施の形態では、コーキング剤６を充填するための凹部５を形成したが、図４に示すように、凹部を形成することなくコーキング剤６を充填してもよい。ただし、その構成ではコーキング剤６が後ケース３２の側面より外側に盛り上がることになるので、化粧ケース２の内面にリブ２２を形成して、化粧カバー２と本体との間にコーキング剤６用のスペースを確保するようにしてもよい。また、浴室用電子装置として浴室用テレビを例に説明したが、風呂用リモコンなど、他の電子装置に適用することができる。
【００１８】
なお、本発明は上記した形態に限定されるものではなく、本発明の要旨を逸脱しない範囲内において種々の変更を加えてもかまわない。
【符号の説明】
【００１９】
１  浴室用テレビ
２  化粧カバー
４  電子基板
５  凹部
６  コーキング剤
３１  前ケース
３２  後ケース
Ｗ  壁面
【図１】
2019047232.tif 000003
【図２】
2019047232.tif 000004
【図３】
2019047232.tif 000005
【図４】
2019047232.tif 000006